(57)【特許請求の範囲】
【請求項１】
互いに対向する第１、第２の支持片およびこれら両支持片を連結する接触片によって断面略コ字状に形成した充電端子と、底部と囲い壁とによって一方が開口した第１の筺体とを備え、前記第１および第２の支持片のそれぞれに孔を設け、前記第１の筺体の囲い壁に前記接触片が係入される溝を設け、前記第１の筺体の底部に前記第１の支持片の孔が嵌挿されるスタッドを立設するとともに、このスタッドの周部に前記第１の支持片を載置する段部を設け、前記第２の支持片の孔に挿通したねじによって前記充電端子をスタッドに取り付けたことを特徴とする充電端子の取付構造。
【請求項２】
前記第１の筺体の開口を覆う第２の筺体と、この第２の筺体に設けられたプリント基板とを備え、このプリント基板を介して前記充電端子を前記第２の筺体と前記ねじによって共締めしたことを特徴とする請求項１記載の充電端子の取付構造。
【請求項３】
前記第１の筺体の底部に、前記第１の支持片に係合し前記充電端子の前記スタッドからの脱落を規制する弾性係合片を設けたことを特徴とする請求項２記載の充電端子の取付構造。
【発明の詳細な説明】
【技術分野】
【０００１】
本発明は、バッテリを内蔵したコードレス電話機等の電子機器に備えられる充電端子の取付構造に関するものである。
【背景技術】
【０００２】
従来の充電端子の取付構造としては、一端部側を断面コ字状に折り曲げ形成した充電端子と、底部と囲い壁とからなり一方が開口した電話機筐体とを備え、充電端子の挟持部を電話機筐体の囲い壁に開口端側から挟み、電話機筐体の底部に立設したスタッドに充電端子を取り付けることにより、電話機筺体から露呈した挟持部を充電器の充電用端子に電気的に接触させるものがある（例えば、特許文献１参照）。
【特許文献１】特開２０００−３３２８６９号公報（段落「０００３」、図６）
【発明の開示】
【発明が解決しようとする課題】
【０００３】
上述した従来の充電端子は、充電端子が延在する方向と直交する方向に断面コ字状の挟持部を設けているため、この充電端子を形成するのに折り曲げ工程が２回必要になり製造コストが嵩むという問題があった。また、充電端子の挟持部は囲い壁に挟み込まれているだけの構造であり、充電器の充電用端子に電気的に接触する表面側は、単に電話機筺体の表面に添接されているだけであるから、この表面側が長期間の使用によって変形したり電話機筺体の表面から剥離したりするおそれがあり接触不良の原因となっていた。
【０００４】
本発明は上記した従来の問題に鑑みなされたものであり、その目的とするところは、製造コストを低減させ、長期間の使用によっても変形せずに接触不良が発生しないように耐久性を向上させた充電端子の取付構造を提供するところことにある。
【課題を解決するための手段】
【０００５】
この目的を達成するために、請求項１に係る発明は、互いに対向する第１、第２の支持片およびこれら両支持片を連結する接触片によって断面略コ字状に形成した充電端子と、底部と囲い壁とによって一方が開口した第１の筺体とを備え、前記第１および第２の支持片のそれぞれに孔を設け、前記第１の筺体の囲い壁に前記接触片が係入される溝を設け、前記第１の筺体の底部に前記第１の支持片の孔が嵌挿されるスタッドを立設するとともに、このスタッドの周部に前記第１の支持片を載置する段部を設け、前記第２の支持片の孔に挿通したねじによって前記充電端子をスタッドに取り付けたものである。
【０００６】
請求項２に係る発明は、請求項１に係る発明において、前記第１の筺体の開口を覆う第２の筺体と、この第２の筺体に設けられたプリント基板とを備え、このプリント基板を介して前記充電端子を前記第２の筺体と前記ねじによって共締めしたものである。
【０００７】
請求項３に係る発明は、請求項２に係る発明において、前記第１の筺体の底部に、前記第１の支持片に係合し前記充電端子の前記スタッドからの脱落を規制する弾性係合片を設けたものである。
【発明の効果】
【０００８】
請求項１に係る発明によれば、充電端子を断面略コ字状に形成したことにより、１回の折り曲げ加工によって充電端子を形成することができるので製造コストを低減することができる。また、充電端子の第１の支持片の孔をスタッドに嵌挿するとともに、第２の支持片をスタッドにねじ止めするようにしたことにより、筺体から露呈した接触片が長期間の使用に対しても筺体の表面から剥離したり変形したりするようなことがないから耐久性が向上する。また、ねじによって充電端子をスタッドに取り付けるとき、充電端子の第１の支持片の孔をスタッドに嵌挿するとともに接触片を第１の筺体の溝に係入させ充電端子が周り止めされているため、充電端子が位置ずれを起こさないから取付けのための作業性が向上する。
【０００９】
請求項２に係る発明によれば、充電端子がプリント基板を介してねじ止めされる際に、プリント基板がわずかに弾性変形するからプリント基板がワッシャとして機能するため、充電端子がスタッドに強固に取り付けられる。また、１本のねじによって充電端子と第２の筺体とを共締めしていることにより、組付工数を削減することができる。
【００１０】
請求項３に係る発明によれば、充電端子の第１の支持片の孔をスタッドに嵌挿し、充電端子をスタッドに仮止めした後に、第１の筺体の天地方向を逆にして第２の筺体に組み付けるときに、充電端子がスタッドから脱落するようなことがないから作業性が向上する。
【発明を実施するための最良の形態】
【００１１】
以下、本発明の実施の形態を図に基づいて説明する。図１は本発明に係る充電端子の取付構造を実施した電話機の分解斜視図、図２は同じく要部の斜視図、図３は同じく要部の側断面図、図４は本発明に係る充電端子を示し、同図（Ａ）は側面図、同図（Ｂ）は底面図、同図（Ｃ）は平面図、同図（Ｄ）は背面図である。
【００１２】
図１に全体を符号１で示す電話機は、第１の筺体としてのリアーケース２を備えており、このリアーケース２は、底部４とこの底部４を囲むようにこの底部４の周縁から一体に立設された囲い壁３とによって、図中下方側に開口２ａが設けられた略箱状に形成されている。底部４には多数のスピーカ孔４ａが設けられているとともに、バッテリを収納する収納凹部５が設けられている。囲い壁３は、上壁３Ａ、下壁３Ｂおよび両側壁３Ｃ，３Ｄによって一連に形成されており、下壁３Ｂの両端部には、充電端子７，７の後述する接触片７ｃ，７ｃを係入する図中下方側が開口した一対の溝６，６が設けられている。５ａ，５ａは収納凹部５の底部に設けた凹部（一方の凹部５ａは図示せず）であって、底部に挿通孔（図示せず）が設けられており、後述するプリント基板１０とキーシート２０とを第２の筺体としてのフロントケース２５に取り付けるためのねじ８，８が挿通される。９は上壁３Ａに設けられたアンテナである。
【００１３】
１０は電子部品が搭載されたプリント基板であって、表裏面にパターンが印刷配線されており、裏面にＬＣＤ表示器１１が取り付けられている。このプリント基板１０には、後述するホルダー１６を取り付けるための３個の孔１２、後述するキーパネル３７のスタッド３８，３８が嵌合する一対の嵌合孔１３，１３および後述するフロントケース２５のスタッド３２，３２が嵌合する一対の嵌合孔１４，１４が設けられている。１５は着信音を鳴動するスピーカであって、ホルダー１６の底部に突設したスタッド１７をプリント基板１０の孔１２に嵌合させることにより、このホルダー１６を介してプリント基板１０に取り付けられる。
【００１４】
２０は全体が可撓性を有するシートによって略長方形に形成されたキーシートであって、マトリックス状に配置されたダイヤルボタン２１や多数の機能ボタン２２が、図３に示すように一体に設けられている。これらダイヤルボタン２１や機能ボタン２２を押圧操作することにより、その部位に設けられた支持部が弾性変形し、支持部に設けられた接点２３がプリント基板１０に配線されたスイッチをオンするように構成されている。図１において、２４，２４はねじ８，８を挿通させるための挿通孔である。
【００１５】
２５は第２の筺体としてのフロントケースであって、底部２６とこの底部２６を囲むようにこの底部の周縁から一体に立設された囲い壁２７とによって、図中上方側に開口２８が設けられた略箱状に形成されている。底部２６には、ＬＣＤ表示器１１を表示するための窓２９、ダイヤルボタン２１を摺動自在に支持するためにマトリックス状に配置されたダイヤルボタン用窓３０および機能ボタン２２を摺動自在に支持するための多数の機能ボタン用窓３１が設けられている。
【００１６】
３２，３２はフロントケース２５の底部２６上に立設されたスタッドであって、リアーケース２とフロントケース２５とを結合するためおよび後述する充電端子７をスタッド４５に取り付けるためのねじ３３，３３が螺合される。囲い壁２７は、上壁２７Ａ、下壁２７Ｂおよび両側壁２７Ｃ，２７Ｄによって一連に形成されており、上壁２７Ａの内面には、リアーケース２の係合部（図示せず）が係合する被係合部３４，３４が設けられている。
【００１７】
リアーケース２とフロントケース２５とは、これら係合部と被係合部３４を回動中心として互いに回動自在に支持され、後述するようにねじ３３をスタッド３２に螺合させることにより結合される。３５はフロントケース２５の機能ボタン用窓３１ａに揺動自在に支持される円板状に形成された機能ボタンである。３６は透明部材によって形成されたＬＣＤ表示器１１用のパネルであって、フロントケース２５の窓２９を覆うようにフロントケース２５に取り付けられる。
【００１８】
３７はフロントケース２５の一部を覆うためにフロントケース２５の表面に設けられるキーパネルであって、プリント基板１０およびキーシート２０をフロントケース２５に取り付けるためのねじ８，８を螺合させるための一対のスタッド３８，３８が立設されている。４０は着信用ＬＥＤ（図示せず）から発光された光をフロントケース２５の外部に導く導光体であって、フロントケース２５の取付孔４１に取り付けられる。図３において、４４は収納凹部５を覆う電池蓋であって、リアーケース２に着脱自在に取り付けられる。
【００１９】
次に、図２ないし図４を用いて、本発明の特徴である充電端子の取付構造について説明する。図２および図３において、４５，４５はリアーケース２の底部４に一体に立設され、図３中下方に開口部４５ａが設けられキャップ状に形成されたスタッドであって、囲い壁３の下壁３Ｂに設けた溝６，６に近接して設けられている。このスタッド４５は、図３において上方に向かって漸次径が小さくなるように形成されており、周面には、溝６の底部６ａと同じ高さに位置付けられ、充電端子７の後述する第１の支持片７ａを載置する円環状に形成された段部４５ｂが設けられている。また、このスタッド４５は、上端部に充電端子７の後述する第２の支持片７ｂが載置される載置部４５ｃが設けられており、この載置部４５ｃにはねじ３３を挿通させる挿通孔４５ｄが設けられている。
【００２０】
４６，４６はリアーケース２の底部４に一体に立設された弾性係合片（一方の弾性係合片４６は図示せず）であって、この弾性係合片４６は、スタッド４５の段部４５ｂに充電端子７の第１の支持片７ａを載置すると、弾性変形しながらこの第１の支持片７ａに係合する。この係合により、図３において充電端子７の上方への移動を規制するため、後述するリアーケース２とフロントケース２５とを結合させる際に、リアーケース２の天地方向を逆にしても、充電端子７のスタッド４５からの脱落を規制することができる。
【００２１】
充電端子７は、図４に示すように互いに対向する第１、第２の支持片７ａ，７ｂおよびこれら両支持片７ａ，７ｂを連結する接触片７ｃによって断面略コ字状に形成されており、両支持片７ａ，７ｂのそれぞれには、大径状の孔７ｄと小径状の孔７ｅとが設けられている。大径状の孔７ｄの径は、スタッド４５の径よりもわずかに大きくかつ段部４５ｂの径よりも小さく形成されている。接触片７ｃの幅Ｗは、溝６の幅よりもわずかに小さく形成されている。
【００２２】
次に、このように構成された電話機において、充電端子の取付方法について説明する。図１において、予め、プリント基板１０上にホルダー１６を介してスピーカ１５を取り付け、導光体４０をフロントケース２５の取付孔４１に取り付け、ＬＣＤパネル３６をフロントケース２５の表面に取り付けておく。しかる後、図２に示すように、充電端子７の第１の支持片７ａの孔７ｄをスタッド４５に挿入するとともに、接触片７ｃを溝６に係入させ、第１の支持片７ａをスタッド４５の段部４５ｂに載置させる。この状態で、第１の支持片７ａに弾性係合片４６が係合し、第２の支持片７ｂがスタッド４５の載置部４５ｃに載置される。
【００２３】
次いで、図１に示すように、フロントケース２５の機能ボタン用窓３１ａに機能ボタン３５を嵌入させ、フロントケース２５上にキーシート２０を載置し、フロントケース２５のスタッド３２，３２にプリント基板１０の嵌合孔１４，１４を嵌合させてプリント基板１０をキーシート２０上に載置する。リアーケース２の天地方向を図２に示す状態から逆として、図１に示すようにフロントケース２５の上方に位置付ける。このとき、充電端子７の第１の支持片７ａに弾性係合片４６が係合しているため、充電端子７のスタッド４５からの脱落が規制されるから作業性が向上する。
【００２４】
次いで、フロントケース２５の被係合部３４にリアーケース２の係合部を係合させ、これら係合部と被係合部３４を回動中心としてリアーケース２を回動させ、リアーケース２の開口２ａとフロントケース２５の開口２８とを対向させるように両ケース２，２５の互いの開口端を対接させる。この状態で、スタッド４５の開口４５ａ，４５ａから挿通させたねじ３３，３３を、図３に示すようにスタッド４５の挿通孔４５ｄと充電端子７の孔７ｅを挿通させ、フロントケース２５のスタッド３２，３２に螺合させる。
【００２５】
この螺合により、リアーケース２とフロントケース２５とが結合され電話機１の筺体本体が形成されるとともに、充電端子７の第２の支持片７ｂがプリント基板１０を介してフロントケース２５に取り付けられる。このように、充電端子７がプリント基板１０を介してフロントケース２５に取り付けられるため、プリント基板１０がわずかに弾性変形して充電端子７の第２の支持片７ｂをスタッド４５の載置部４５ｃに押圧した状態にするからプリント基板１０がワッシャとして機能し、充電端子７がスタッド４５に強固に取り付けられる。
【００２６】
また、２本のねじ３３，３３によって充電端子７とフロントケース２５とを共締めしているから、組付工数を削減することができる。また、ねじ３３によって充電端子７をスタッド４５に取り付けるとき、充電端子７の第１の支持片７ａの孔７ｄをスタッド４５に嵌挿するとともに、接触片７ｃをリアーケース２の溝６に係入させ充電端子７が周り止めされているため、充電端子７が位置ずれを起こさないから取付けのための作業性が向上する。
【００２７】
次いで、キーパネル３７のスタッド３８，３８をフロントケース２５の機能ボタン用窓３１，３１およびキーシート２０の挿通孔２４，２４を挿通させ、プリント基板１０の嵌合孔１３，１３に嵌合させ、キーパネル３７をフロントケース２５の表面に仮止めする。この状態で、リアーケース２の凹部５ａ，５ａに挿入したねじ８，８をキーパネル３７のスタッド３８，３８に螺合させることにより、プリント基板１０、キーシート２０およびキーパネル３７がフロントケース２５に取り付けられる。
【００２８】
本発明によれば、充電端子７を断面略コ字状に形成したことにより、１回の折り曲げ加工によって充電端子７を形成することができるので製造コストを低減することができる。また、充電端子７の第１の支持片７ａの孔７ｄをスタッド４５に嵌挿するとともに、第２の支持片７ｂをスタッド４５にねじ止めするようにしたことにより、溝６から露呈した接触片７ｃが長期間の使用に対してもリアーケース２の表面から剥離したり変形したりするようなことがないから耐久性が向上する。
【００２９】
なお、本実施の形態においては、充電端子７をスタッド４５に取り付けるのに、リアケース１をフロントケース２５に取り付けるねじ３３によって共締めするようにしたが、充電端子７をスタッド４５に取り付けるための専用のねじを設けてもよい。その場合、スタッド４５の載置部４５ｃにねじ孔を設け、充電端子７の第２の支持片７ｂの孔７ｅに挿通させたねじをこのねじ孔に螺合させることにより、充電端子７をスタッド４５に取り付けるようにすればよい。また、充電端子７のスタッド４５からの脱落を規制するために弾性係合片４６を設けるようにしたが、第１の支持片７ａの孔７ｄの径をスタッド４５の径よりもわずかに小さく形成し、第１の支持片７ａの孔７ｄをスタッド４５に嵌合させることにより、充電端子７のスタッド４５からの脱落を規制するようにしてもよい。
【図面の簡単な説明】
【００３０】
【図１】本発明に係る充電端子の取付構造を実施した電話機の分解斜視図図である。
【図２】本発明に係る充電端子の取付構造における要部の斜視図である。
【図３】本発明に係る充電端子の取付構造における要部の側断面図である。
【図４】本発明に係る充電端子を示し、同図（Ａ）は側面図、同図（Ｂ）は底面図、同図（Ｃ）は平面図、同図（Ｄ）は背面図である。
【符号の説明】
【００３１】
１…電話機、２…リアーケース（第１の筺体）、２ａ，２８…開口、６…溝、７…充電端子、７ａ…第１の支持片、７ｂ…第２の支持片、７ｃ…接触片、７ｄ，７ｅ…孔、１０…プリント基板、２０…キーシート、２５…フロントケース（第２の筺体）、４５…スタッド、４５ｂ…段部、４６…弾性係合片。
【図１】
0004551350.tif 000002
【図２】
0004551350.tif 000003
【図３】
0004551350.tif 000004
【図４】
0004551350.tif 000005